(57)【特許請求の範囲】
【請求項１】
施設を利用する利用者によって提示される媒体の重複使用を検出するための施設利用管
理システムであって、
前記施設の利用情報と前記媒体を特定する識別情報とが記録された媒体を発行する媒体
発行装置と、
前記利用者から提示された前記媒体から前記利用情報と前記識別情報とを読取手段で読取
るとともに、読取った前記利用情報に基づいて、前記施設の構内と構外とにつながる通路
の通行の可否の判断を行う改札装置と、
前記媒体発行装置と前記改札装置とに接続され、前記媒体発行装置と前記改札装置とか
ら送信される前記利用情報と前記識別情報とを受信する第１の受信手段を含み、前記第１
の受信手段で受信した前記利用情報と前記識別情報とに基づいて、当該識別情報の使用状
況を記憶する記憶手段を備え、前記媒体発行装置から送信された前記利用情報に基づいて
、前記媒体で利用可能な施設の構内と構外とにつながる通路に設けられた改札装置に対し
て少なくとも前記識別情報を送信する第１の送信手段を含む通信装置と、
前記媒体発行装置に設けられ、前記発行した媒体の利用情報と識別情報とを前記通信装
置に送信するとともに、少なくとも識別情報を前記改札装置に送信する第２の送信手段と
、
前記改札装置に設けられ、前記読取手段で前記媒体から読取った識別情報、前記媒体発
行装置から送信された識別情報、及び前記通信装置から送信された識別情報に基づいて当
該識別情報の媒体が重複して使用されたか否かを判断する通行管理手段と、
を有する施設利用管理システム。
【請求項２】
前記改札装置は、施設の構内と構外とにつながる複数の通路に設置され、
第１の改札装置には、読取った識別情報を第２の改札装置に送信する送信手段を有し、
前記第２の改札装置の通行管理手段は、前記読取手段で前記媒体から読取った識別情報、
前記媒体発行装置から送信された識別情報、前記通信装置から送信された識別情報、及び
前記第１の改札装置から送信された識別情報に基づいて当該識別情報の前記媒体が重複し
て使用されたか否かを判断する請求項１記載の施設利用管理システム。
【発明の詳細な説明】
【技術分野】
【０００１】
本発明の実施形態は、施設利用管理システム及び改札装置に関する。
【背景技術】
【０００２】
現在の鉄道ではＩＣカードの普及により従来からある磁気情報を記録した磁気券が減少方向にある。しかし地方から都会へ上京した場合や、海外からの観光客らはＩＣカードを購入せずに一回限りの磁気券を購入することが多く、磁気券をなくすことは難しい。
【０００３】
一方で鉄道事業者からすると、自動改札機では磁気券を搬送するための装置（以下ハンドラと呼ぶ）が必要となり、その定期点検等の保守に費用がかかるため、ハンドラの必要がないＩＣカードの普及率向上を目指している。しかしＩＣカードを購入する場合はデポジット金がかかり、一回限りの利用者には不向きである。
【０００４】
そこでハンドラが必要なく、さらにコストが低く抑えられる媒体として、例えば２次元コードが印刷された券（媒体面に券情報が記録された媒体）が磁気券の代わりとして考えられる。しかし、このような２次元コードが印刷された券は読取専用のため、従来の駅務システムでは、券４を出場時に回収を行わない場合や、券情報により有効期間や区間が限定さていない場合は、自動改札機から重複入出場ができるという問題があった。
【先行技術文献】
【特許文献】
【０００５】
【特許文献１】特開２００６−５９２４９号公報
【発明の概要】
【発明が解決しようとする課題】
【０００６】
本発明が解決しようとする課題は、券情報が券面に記録された媒体の重複使用を防ぐ施設利用管理システム及び改札装置を提供することである。
【課題を解決するための手段】
【０００７】
上記課題を達成するために、実施形態の施設利用管理システムは、施設を利用する利用者によって提示される媒体の重複使用を検出するための施設利用管理システムであって、前記施設の利用情報と前記媒体を特定する識別情報とが記録された媒体を発行する媒体発行装置と、前記利用者から提示された前記媒体から前記利用情報と前記識別情報とを読取手段で読取るとともに、読取った前記利用情報に基づいて、前記施設の構内と構外とにつながる通路の通行の可否の判断を行う改札装置と、前記媒体発行装置と前記改札装置とに接続され、前記媒体発行装置と前記改札装置とから送信される前記利用情報と前記識別情報とを受信する第１の受信手段を含み、前記第１の受信手段で受信した前記利用情報と前記識別情報とに基づいて、当該識別情報の使用状況を記憶する記憶手段を備え、前記媒体発行装置から送信された前記利用情報に基づいて、前記媒体で利用可能な施設の構内と構外とにつながる通路に設けられた改札装置に対して少なくとも前記識別情報を送信する第１の送信手段を含む通信装置と、前記媒体発行装置に設けられ、前記発行した媒体の利用情報と識別情報とを前記通信装置に送信するとともに、少なくとも識別情報を前記改札装置に送信する第２の送信手段と、前記改札装置に設けられ、前記読取手段で前記媒体から読取った識別情報、前記媒体発行装置から送信された識別情報、及び前記通信装置から送信された識別情報に基づいて当該識別情報の媒体が重複して使用されたか否かを判断する通行管理手段と、を有する。
【０００８】
また、実施形態の改札装置は、施設を利用する利用者によって提示される媒体の重複使用を検出するための改札装置であって、通信手段を介して前記媒体を特定する識別情報を入力する入力手段と、前記入力手段で入力された前記識別情報を記憶する記憶手段と、前記利用者から提示された前記媒体から利用情報と識別情報とを読取る読取手段と、前記読取手段で読取った利用情報に基づいて前記施設の構内と構外とにつながる通路の通行の可否の判断を行うとともに、前記記憶手段に記憶された識別情報と、前記読取手段で読取った識別情報とに基づいて当該識別情報の媒体が重複して使用されたか否かを判断する通行管理手段と、前記読取手段で読取った媒体を特定する識別情報を通信手段を介して出力する出力手段と、を有する。
【図面の簡単な説明】
【０００９】
【図１】実施形態の自動改札システムの構成図。
【図２】実施形態の複数の自動改札機が駅サーバを介して通信する自動改札システムの構成図。
【図３】実施形態の読取装置と自動改札機の構成図。
【図４】実施形態のネガ情報のデータ構造を示す図。
【図５】実施形態の路線の概略図。
【図６】実施形態の券情報配信の概略図。
【図７】実施形態の配信サーバの構成図。
【図８】実施形態の自動改札機での券情報の配信を示したフローチャート
【図９】実施形態の券売機の構成図。
【発明を実施するための形態】
【００１０】
以下、実施形態について図面を参照して説明する。
【００１１】
図１は、実施形態の自動改札システムの一例を示す図である。
【００１２】
図１に示すように自動改札システムは、鉄道事業者のホストコンピュータであるところの配信サーバ１（通信装置）を有し、その配信サーバ１には、各駅（Ａ駅、Ｂ駅、…、Ｎ駅）ごとに配置された駅サーバ２がネットワーク１３（公衆回線や専用回線、ＬＡＮ等）を介して接続されている。
【００１３】
配信サーバ１は、自動改札システムの最上位にある配信サーバで乗車券や入場券等（媒体）の発行、使用状態等を一元的に管理できるように構成されている。
【００１４】
さらに、各駅の駅サーバ２には、ネットワーク１４のデータ通信ラインを介して各駅口（ａ駅口、ｂ駅口、…、ｎ駅口）に設置された複数の自動改札機３（１、２、…、ｎ台）と券売機６（媒体発行装置）とが接続されている。駅口数、自動改札機３（改札装置）及び券売機６の台数は各駅にて異なる。
【００１５】
また、各駅の駅サーバ２は、配信サーバ１を介して他の駅の駅サーバ２と相互に通信することが可能である。
【００１６】
各駅の自動改札機３、券売機６はネットワーク１４にて接続されており、配信サーバ１を介することなく、駅サーバ２を介して自動改札機３と券売機６との間で券情報（利用情報や識別情報、又は利用情報と識別情報とを含む情報）を相互に通信することが可能である。
【００１７】
また、各駅の自動改札機３は、同じ駅に設置されている所定の自動改札機３とネットワーク１５にて接続されており、自身以外の所定の自動改札機３と券情報を相互に通信することが可能である。
【００１８】
なお、図示していないが、駅サーバ２は、ネットワーク１４のデータ通信ラインを介して自動改札機３と同様に、精算機や、係員端末等の駅務機器にも接続されている。
【００１９】
また、自動改札機３は、駅（施設）の改札口の入口に設置されている場合には入場改札機として使用される。また、駅の改札口の出口に設置されている場合には出場改札機として使用される。
【００２０】
次に、他の実施形態として、図２の複数の自動改札機３が駅サーバ２を介して通信する自動改札システムの構成図を示す。
【００２１】
利用者が駅への入場および駅から出場する通路の通行を許可すると判断した自動改札機３は、読取装置５からの券情報を配信サーバ１を介さずに、自動改札機３が設置されている駅と同じ駅に設置されている自身以外の所定の自動改札機３に対して、駅サーバ２が接続されているネットワーク１４を介して通信することにより配信する。
【００２２】
次に、図３に実施形態の読取装置５と自動改札機３の構成図を示す。
【００２３】
自動改札機３は、駅の構内と構外とにつながる複数の通路（例えば、各駅口（ａ駅口、ｂ駅口、…、ｎ駅口）の複数の改札口）に設置され、読取装置５が各自動改札機３に接続されている。
【００２４】
自動改札機３は、券４に記録されている券情報を光学的に読取る読取装置５（読取手段）が接続されており、券４が読取装置５に翳された（提示された）ときに券４の券面（媒体面）に記録されている券情報を読み取り、その読み取った券情報を自動改札機３の通行管理部７と出力部９（出力手段）と記憶部１０（記憶手段）とに出力する。
【００２５】
券４は、券４の券面（媒体の表面や紙面）に券情報を２次元コード（例えば、ＱＲコード（登録商標））等の所定の表示方式で印刷により記録した読取専用媒体である。
【００２６】
券４として磁気券（磁気を利用して券情報を記録した券）に代わり、２次元コード等の印刷により券情報を記録した読取専用媒体を使用することで、磁気券を自動改札機の中に搬送して、磁気券に改札処理を行わなくて良いため自動改札機の搬送装置の必要がなくなる。
【００２７】
通行管理部７は、読取装置５からの券情報の使用状況を記憶部１０に登録されている券情報（読取装置５からの券情報と、所定の自動改札機３からの券情報と、配信サーバ１からのネガ情報（券情報の不正使用を防止するための券情報））との照合により点検する。
【００２８】
この照合により、通行管理部７は、券４が適正使用であるか否か（例えば、１回の入場及び出場のみに有効な券４の券情報の使用による、２度以上（複数回）の入場及び２度以上（複数回）の出場等の券４の不正使用がないことの判断）を点検する。
【００２９】
この点検結果により、通行管理部７は、利用者が駅への入場および駅から出場する通路の通行の可否を判断する。
【００３０】
この判断により、通行管理部７が利用者の通路の通行を許可すると判断した場合は、通行制限部８が通行制限機能を解除し、その券情報を記憶部１０に登録する。また、その券情報を出力部９からネットワーク１６（通信手段）を介して、自動改札機３の外部にある配信サーバ１と自身以外の所定の自動改札機３（例えば、同じ駅または駅口に設置されている他の自動改札機３）とに配信する。
【００３１】
記憶部１０に登録した券情報により、通行管理部７は、同じ券情報での自動改札機３からの２回以上の入場または２回以上の出場を許可しない判断をする。
【００３２】
一方、通路の通行の可否判断により、通行管理部７が利用者の通路の通行を許可しないと判断した場合は、通行制限部８が通行制限機能を解除せずに、その券情報を記憶部１０に登録しない。
【００３３】
自動改札機３は、自身以外の所定の自動改札機３がネットワークを介して配信した券情報を、入力部１１（入力手段）で入力し、記憶部１０に同じ駅に設置されている自動改札機３で通路の通行が許可された券情報として登録する。
【００３４】
自動改札機３は、配信サーバ１がネットワークを介して配信したネガ情報を、入力部１１で入力し、記憶部１０に券情報のネガ情報として登録する。
【００３５】
自動改札機３は、これらの記憶部１０に登録した券情報と読取装置５からの券情報とを通行管理部７で照合し判断することにより、券情報の適正使用を点検する。
【００３６】
この点検結果により、自動改札機３は、利用者が駅への入場および駅から出場する通路の通行の可否を判断する。
【００３７】
このように、自動改札機３は、読取装置５が読み取った券情報により、利用者が駅から出場する通路の通行を許可すると判断した場合、その券情報を自動改札機３の記憶部１０から削除する。
【００３８】
また、自動改札機３は、同じ駅に設置されている自身以外の所定の自動改札機３が配信した券情報を、自動改札機３の入力部１１で受信し、その券情報を自動改札機３の記憶部１０に登録する。
【００３９】
また、自動改札機３は、配信サーバ１が配信した券情報を、自動改札機３の入力部１１で受信し、その券情報を自動改札機３の記憶部１０に登録する。
【００４０】
上記構成により、自動改札機３は、券４の券面に記録された券情報を読取装置５を介して入力し、記憶部１０に登録した券情報との判断結果により、利用者の駅への通行制限や券情報の自動改札機３の記憶部１０への登録を行うとともに、配信サーバ１や自身以外の所定の自動改札機３に対して券情報の配信をする。
【００４１】
また、自動改札機３は、配信サーバ１が配信したネガ情報や自身以外の自動改札機３が配信した券情報を受信し、それらを自動改札機３の記憶部１０に登録する。
【００４２】
次に、実施形態における配信サーバ１の記憶部１２に記憶されるネガ情報のデータ構造を図４に示し、その登録方法の一例を示す。
【００４３】
Ａ駅の券売機６で乗車駅がＡ駅で下車駅がＢ駅と固定され、券ＩＤ（識別情報）が、「１０００１」の乗車券を発券した場合、券売機６はその情報を駅サーバ２を介して配信サーバ１に送信する。
【００４４】
この情報を受信した配信サーバ１は、記憶部１２の、券ＩＤ部に「１０００１」を、配信元駅名部に乗車駅名のＡ駅を、配信先駅名部に下車駅名のＢ駅を、それぞれネガ情報として登録する（図４（ａ））。
【００４５】
また、Ａ駅の券売機６で乗車駅がＡ駅で下車駅がＢ駅まで乗車可能な券ＩＤが、「１０００２」の乗車券（区数券又は区間券）を発券した場合、券売機６はその情報を駅サーバ２を介して配信サーバ１に送信する。
【００４６】
この情報を受信した配信サーバ１は、記憶部１２の、券ＩＤ部に「１０００２」を、配信元駅名部に乗車駅名のＡ駅を、配信先駅名部に下車可能な駅名であるＢ駅…Ｎ駅を、それぞれネガ情報として登録する（図４（ａ））。
【００４７】
次に、乗車駅のＡ駅に設置されている自動改札機３の読取装置５に券４が翳されたときに、そのＡ駅の自動改札機３が、読取装置５で読み取られた券ＩＤの「１０００１」により利用者が駅に入場することを許可した場合、自動改札機３はその情報を駅サーバ２を介して配信サーバ１に送信する。
【００４８】
この情報を受信した配信サーバ１は、記憶部１２の使用部に券ＩＤが「１０００１」の乗車券が使用されている状況であることを示す「１」を登録する（図４（ｂ））。
【００４９】
利用者が電車を利用し、下車駅のＢ駅に設置されている自動改札機３の読取装置５に券４が翳されたときに、そのＢ駅の自動改札機３が、読取装置５で読み取られた券ＩＤの「１０００１」により利用者が駅から出場することを許可した場合、自動改札機３は駅サーバ２を介して配信サーバ１にその券情報の券ＩＤの「１０００１」を送信する。
【００５０】
この情報を受信した配信サーバ１は、記憶部１２から、券ＩＤが「１０００１」のネガ情報を削除する（図４（ｃ））。
【００５１】
次に、乗車駅のＡ駅に設置されている自動改札機３の読取装置５に券４が翳されたときに、そのＡ駅の自動改札機３が、読取装置５で読み取られた券ＩＤの「１０００２」により利用者が駅から入場することを許可した場合、自動改札機３はその情報を駅サーバ２を介して配信サーバ１に送信する。
【００５２】
この情報を受信した配信サーバ１は、記憶部１２の使用部に券ＩＤが「１０００２」の乗車券が使用されている状況であることを示す「１」を登録する（図４（ｄ））。
【００５３】
次に、実施形態の券４に記録された券情報の配信について、図５の実施形態の路線の概略図及び図６の実施形態の券情報配信の概略図、図４の実施形態のネガ情報のデータ構造を参照して説明する。
【００５４】
券４は、区数券及び区間券の他に券情報の配信量を減らすことを目的として乗車駅と下車駅とが固定されている券４を使用する。
【００５５】
Ａ駅の券売機６は、利用者の操作をもとに券番号（識別情報）及び発行駅と下車駅と料金（利用情報）等の券情報を生成し、券４の券面（媒体面）にプリンタ（記録手段）により所定の表示方式で記録（例えば、乗車券や入場券等の情報（利用情報や識別情報）、運送契約上の権利等を２次元コード等の図形パターンや文字、数字等で記録）して、券４を販売（発行）する（図９）。
【００５６】
Ａ駅の券売機６でＢ駅までの、乗車駅と下車駅とが固定されている乗車券を発券（券情報の券ＩＤは、「１０００１」）した場合（図５（ａ））、Ａ駅の券売機６はその情報をＡ駅の駅サーバ２に送信（第２の送信手段２３）する。このとき、Ａ駅の駅サーバ２は、券情報を配信サーバ１へ送信するとともにＡ駅の自動改札機３にも配信する（図６（ａ））。
【００５７】
配信サーバ１に配信された券情報は、配信サーバ１の記憶部１２にネガ情報の一部として登録される（図４（ａ））。
【００５８】
また、Ａ駅の自動改札機３に配信された券情報は、自動改札機３の記憶部１０に登録される。
【００５９】
次に、券売機６で販売された券４が、Ａ駅に設置されている自動改札機３の読取装置５に翳され、その読取装置５で読み取られた券ＩＤの「１０００１」により、利用者が駅に入場することを自動改札機３が許可した場合、Ａ駅の自動改札機３はその情報をＡ駅の駅サーバ２に送信するとともに、自身以外のＡ駅の自動改札機３にも配信する。このとき、Ａ駅の駅サーバ２は、券情報を配信サーバ１へ送信する（図６（ｂ））。
【００６０】
配信サーバ１に配信された券情報は、配信サーバ１の記憶部１２にネガ情報の一部として登録される（図４（ｂ））。
【００６１】
また、Ａ駅の自動改札機３に配信された券情報は、自動改札機３の記憶部１０に登録される。
【００６２】
これらのように、配信サーバ１は、券売機６と自動改札機３とから駅サーバ２を介して送信された券情報を受信（第１の受信手段２１）し、記憶部１２（記憶手段）にネガ情報（券情報の不正使用を防止するための情報）として登録し、管理する（図７）。
【００６３】
同様に、配信サーバ１は、各駅口（ａ駅口、ｂ駅口、…、ｎ駅口）の複数の改札口に設置されている自動改札機３からネットワーク（ネットワーク１３及びネットワーク１４）を介して送信された券情報も受信し、記憶部１２にネガ情報として登録し、管理する。
【００６４】
この配信サーバ１の記憶部１２に登録するネガ情報は、自動改札機３が利用者による改札口の通行の許可を判断（通行管理手段（通行管理部７））するための券情報として使用する。例えば、同じ券情報による自動改札機３からの２回以上の駅の構内への入場または２回以上の駅の構内からの出場を許可しないための情報とする。
【００６５】
次に、配信サーバ１は、受信した券情報に記録されている下車駅のＢ駅を配信先として選択し、券情報が登録されたネガ情報をＢ駅の駅サーバ２を介してＢ駅に設置されている自動改札機３にのみ配信（送信）する（図６（ａ）、図６（ｂ））。
【００６６】
このように、配信サーバ１は、受信した券情報の内容から登録したネガ情報を配信する駅を選択し、選択した駅の自動改札機３に対してネガ情報を配信（第１の送信手段２２）する。この配信方法により、ネットワーク１３を介した券４のネガ情報の配信量を低減する。
【００６７】
一方、区数券や区間券などの下車駅が固定されていない券４のネガ情報は、券情報の内容から下車が可能な全ての駅の駅サーバ２を選択して配信する（図６（ｄ））。
【００６８】
次に、Ｂ駅の自動改札機３が乗車券の券情報（券ＩＤは、「１０００１」）により、駅からの出場を許可した場合（図６（ｃ））、その自動改札機３は、記憶部１０に登録されている券ＩＤ「１０００１」の券情報を削除するとともに、出場を許可した乗車券の券情報を自身以外のＢ駅の自動改札機３及びＢ駅の駅サーバ２を介して配信サーバ１に配信する。
【００６９】
そのＢ駅の駅サーバ２を介して配信サーバ１に送信された券情報により、配信サーバ１の記憶部１２に登録されている券ＩＤ「１０００１」の券情報に関するネガ情報は削除される（図４（ｃ）、図６（ｃ））。
【００７０】
また、Ｂ駅の自動改札機３に配信された出場を許可した券情報により、Ｂ駅の自動改札機３は、記憶部１０に登録されている券ＩＤ「１０００１」の券情報を削除する（図６（ｃ））。
【００７１】
次に、配信サーバ１は、券情報を削除したネガ情報をＡ駅の駅サーバ２を介してＡ駅に設置されている自動改札機３のみに配信する。
【００７２】
そのネガ情報を配信されたＡ駅の自動改札機３は、記憶部１０にネガ情報として登録する。
【００７３】
Ａ駅の券売機６でＢ駅まで乗車可能な下車駅が固定されていない乗車券（区数券又は区間券）を発券（券情報の券ＩＤは、「１０００２」）した場合（図５（ｂ））、Ａ駅の券売機６はその情報をＡ駅の駅サーバ２に送信する。このときＡ駅の駅サーバ２は、券情報を配信サーバ１へ送信するとともにＡ駅の自動改札機３にも配信する（図６（ｄ））。
【００７４】
配信サーバ１に送信された券情報は、配信サーバ１の記憶部１２にネガ情報の一部として登録される（図４（ａ））。
【００７５】
また、Ａ駅の自動改札機３に配信された券情報は、自動改札機３の記憶部１０に登録される。
【００７６】
次に、配信サーバ１は、券情報が登録されたネガ情報をＡ駅以外の乗車可能な駅（Ｂ駅からＮ駅）の駅サーバ２を介して、Ａ駅以外の乗車可能な駅に設置されている自動改札機３に配信する。
【００７７】
このように、下車駅が固定されていない乗車券を発券した場合、配信サーバ１は、ネガ情報をＡ駅の自動改札機３以外の乗車可能な駅（入場及び出場が可能な駅、例えば、Ｎ駅）の自動改札機３にも配信するため、ネガ情報の配信量が増加する。
【００７８】
次に、券４に記録された券情報の配信について、図８の実施形態における自動改札機３での券情報の配信を示したフローチャートを参照して説明する。
【００７９】
例えば、券売機６で発行した乗車駅と下車駅とが記録され、券売機６から駅サーバ２を介して配信サーバ１へ券情報が送信された券４を、駅等の改札口に設置された自動改札機３に取付けてある読取装置５（光学的読み取り装置）に翳すことにより、券４の券面（媒体面）に記録されている券情報を読取装置５で読み取る（ステップＳ１）。
【００８０】
次に、読み取った券情報と自動改札機３の記憶部１０に登録されている券情報及びネガ情報とにより、同じ券情報（例えば、媒体の重複使用）での重複入場及び重複出場（改札口からの通行）の有無などを、券４の適正な使用（不適正な券４の使用がない）の判断により確認する（ステップＳ２）。
【００８１】
券情報を判断した結果、不適正な券４の使用が行われていた場合、自動改札機３は、通行制限機能を解除せずに改札口からの入場及び出場（改札口からの通行）を許可しない（ステップＳ３）。
【００８２】
一方、適正な券４の使用が行われていた場合、自動改札機３は、通行制限機能を解除して改札口からの入場及び出場（改札口からの通行）を許可するとともに、読み取った券情報を記憶部１０に登録する（ステップＳ４）。
【００８３】
例えば、通路の通行を許可すると判断した自動改札機３は、読取装置５からの券情報を、配信サーバ１を介さずに自動改札機３が設置されている駅と同じ駅に設置されている自身以外の自動改札機３に対して、ネットワーク１５等を介して配信する（図１）。
【００８４】
この配信により券情報の配信時間を短縮し、同じ駅に設置されている複数の自動改札機３での同じ券情報を略同時に使用することによる、同じ券情報での自動改札機３からの２回以上の入場または２回以上の出場を防止する。
【００８５】
さらに、自動改札機３は、読取装置５からの券情報を、配信サーバ１に対して、駅サーバ２とネットワーク（ネットワーク１３及びネットワーク１４）とを介して送信する（ステップＳ５）。
【００８６】
次に、券情報を送信された自動改札機３及び配信サーバ１は、券情報を受信し、受信した券情報を各々の記憶部に登録する（ステップＳ６）。
【００８７】
自動改札機３は、受信した券情報を記憶部１０に登録する。また、配信サーバ１は、受信した券情報を記憶部１２にネガ情報の一部として登録する。
【００８８】
次に、配信サーバ１は、受信した券情報の内容から記憶部１２のネガ情報を配信する自動改札機３を選択し、駅サーバ２を介して選択した自動改札機３へネガ情報を配信する（ステップＳ７）。
【００８９】
次に、ネガ情報を送信された自動改札機３は、ネガ情報を受信し、受信したネガ情報を記憶部（記憶部１０）のネガ情報に登録する（ステップＳ８）。
【００９０】
以上説明した施設利用管理システム及び改札装置の実施例によれば以下の作用効果を得ることができる。
【００９１】
（１）自動改札機３からの施設への入場及び施設からの出場の場合に、読取装置５で読み取った券４の券情報を自動改札機３に登録し、入場及び出場が複数回行われる可能性がある自動改札機３に、その券情報を配信サーバ１を経由しない配信と配信サーバ１を経由する配信とを行うことで、券４に記録されている券情報の判断により、同一の券４の券情報（例えば、媒体の重複使用）による不正な重複入場及び不正な重複出場を防止することができる。
【００９２】
また、券情報を配信サーバ１を経由せずに配信することにより、券情報の配信時間を短縮することが可能となるため、その券４の券情報の不正使用を防止することができる。
【００９３】
例えば、駅の券売機６等にて販売された乗車券（券４）の券面に記録された２次元コード等の券情報を、コピー等により複製した同一の券情報が記録された媒体を同駅の複数の自動改札機３で略同時に使用することが考えられるが、券情報を配信サーバ１を経由せずに配信することで配信時間が短縮できるため、このような不正を防止することが可能となる。
【００９４】
（２）券４（乗車券）の券面に記録された２次元コード等の券の情報を配信サーバ１から自動改札機３へ配信するために増加するネットワークの券の情報の配信量を、施設構外への出口（例えば、下車駅）が固定されている券４を使用することと、配信サーバ１が券の情報を配信する配信先（駅サーバ２及び自動改札機３）を選択することにより低減することができる。
【００９５】
例えば、自動改札システムでは、乗車券（券４）として下車駅が固定されている乗車券を取り扱うこととし、配信サーバ１が券の情報を固定されている配信先（下車駅の駅サーバ２及び自動改札機３）を選択して配信する。
【００９６】
これにより、区数券及び区間券を使用して乗車区間の駅の駅サーバ２及び自動改札機３に配信する場合より、券の情報の配信量を低減することができる。
【００９７】
以上説明した少なくとも一つの実施形態の施設利用管理システム及び改札装置によれば、利用者が自動改札機３を通過する際に読取装置５から読み取った、読取専用媒体を使用した券４の券面（媒体面）に記録された券の情報（２次元コード等で記録された乗車券情報や入場券等の情報）をネガ情報として登録し、そのネガ情報を所定の自動改札機３に配信することにより、同じ券の情報での自動改札機３からの２回以上の入場または２回以上の出場等の不正を防止することが可能となる。
【００９８】
また、券の情報を所定の自動改札機３へ配信する際に、施設構外への出口が固定されている券４の使用と配信サーバ１から施設構外への出口が予定されている施設を選択して、その施設の自動改札機３にのみ券の情報を配信することにより、券の情報の配信量を低減することが可能となる。
【００９９】
本実施形態では、券４の券面に記録した券情報は、鉄道システムの券情報として用いられる例を示したが、劇場や遊園地等の入場券情報、各種施設の利用券情報であってもよい。
【０１００】
本実施形態では、券売機６による券面への券情報の表示方式は、２次元コード等とする例を示したが、ＱＲコード（登録商標）、ＭａｘｉＣｏｄｅ、ＤａｔａＭａｔｒｉｘ、ＰＤＦ４１７、ＣＯＤＥ４９、Ｃｏｄｅ１、ＡｚｔｅｃＣｏｄｅ、ＳｕｐｅｒＣｏｄｅ、ＵｌｔｒａＣｏｄｅ、ＶｅｒｉＣｏｄｅ、ＵＣＣ／ＥＡＮコンポジットであってもよい。
【０１０１】
本実施形態では、券売機６や自動改札機３と配信サーバ１との通信は、駅サーバ２を介して行う例を示したが、駅サーバ２を介さない通信であってもよい。
【０１０２】
本発明のいくつかの実施形態を説明したが、これらの実施形態は、例として提示したものであり、発明の範囲を限定することは意図していない。
【０１０３】
これら新規な実施形態は、その他の様々な形態で実施されることが可能であり、発明の要旨を逸脱しない範囲で、種々の省略、置き換え、変更を行うことができる。
【０１０４】
これら実施形態やその変形は、発明の範囲や要旨に含まれるとともに、特許請求の範囲に記載された発明とその均等の範囲に含まれる。
【符号の説明】
【０１０５】
１…配信サーバ、２…駅サーバ、３…自動改札機、４…券、５…読取装置、
６…券売機、７…通行管理部、８…通行制限部、９…出力部、１０…記憶部、
１１…入力部、１２…記憶部、１３…ネットワーク、１４…ネットワーク、
１５…ネットワーク、２１…第１の受信手段、２２…第１の送信手段、２３…第２の送信手段、
【図１】
0005806592.tif 000002
【図２】
0005806592.tif 000003
【図３】
0005806592.tif 000004
【図４】
0005806592.tif 000005
【図５】
0005806592.tif 000006
【図６】
0005806592.tif 000007
【図７】
0005806592.tif 000008
【図８】
0005806592.tif 000009
【図９】
0005806592.tif 000010